【手続補正書】
【提出日】平成22年6月8日(2010.6.8)
【手続補正１】
【補正対象書類名】特許請求の範囲
【補正対象項目名】全文
【補正方法】変更
【補正の内容】
【特許請求の範囲】
【請求項１】
画像データに従って生成されるパルス幅変調信号によって点灯制御される光源と、前記光源から射出される複数のレーザビームによって被走査媒体上を走査する走査手段とを備える光走査装置において、
第一のクロック信号を出力する第一の信号生成手段と、
前記被走査媒体に照射されるレーザビームを検知して検知信号を出力するレーザビーム検知手段と、
前記第一のクロック信号と前記検知信号に基づいて、前記第一のクロック信号よりも周波数の低い第二のクロック信号を生成する第二の信号生成手段と、
前記第二のクロック信号に従って前記画像データの出力タイミングを遅延する遅延手段と、
前記画像データを前記レーザビームの点灯パターンであるパルス幅変調パターンデータに変換するパターン変換手段と、
前記パターン変換手段により変換されたパルス幅変調パターンデータを画素毎に一定量遅延させるパターンデータシフト手段と、
前記パターンデータシフト手段で処理された前記パルス幅変調パターンデータに基づいて前記パルス幅変調信号を生成するパルス幅変調信号生成手段とを備えることを特徴とする光走査装置。
【請求項２】
前記パターンデータシフト手段は、複数ビット分のバッファを備え、前記変換されたパルス幅変調パターンデータを先頭のビットから一定量遅らせて前記バッファに書き込むと同時に、先頭のビットから当該パルス幅変調パターンデータを読み出して遅延させることを特徴とする請求項１記載の光走査装置。
【請求項３】
画像データに従って生成されるパルス幅変調信号によって点灯制御される光源と、前記光源から射出するレーザビームによって被走査媒体上を走査する走査手段とを備える光走査装置において、
第一のクロック信号を出力する第一の信号生成手段と、
前記第一のクロック信号を分周した第二のクロック信号を生成する第二の信号生成手段と、
前記第二のクロック信号に従って前記画像データの出力タイミングを遅延する遅延手段と、
前記画像データを前記レーザビームの点灯パターンであるパルス幅変調パターンデータに変換するパターン変換手段と、
前記被走査媒体に照射されるレーザビームを検知して検知信号を出力するレーザビーム検知手段と、
前記レーザビーム検知手段から出力された検知信号と前記第二のクロック信号の位相差を検知する位相検知手段と、
前記位相検知手段によって得られる位相情報に従ってシフト量を算出し、前記パターン変換手段により変換されたパルス幅変調パターンデータを主走査毎に、前記算出されたシフト量に固定値を加えた分遅延させるパターンデータシフト手段と、
前記パターンデータシフト手段で処理された前記パルス幅変調パターンデータに基づいて前記パルス幅変調信号を生成するパルス幅変調信号生成手段とを備えることを特徴とする光走査装置。
【請求項４】
前記パターンデータシフト手段は、複数ビット分のバッファを備え、前記変換されたパルス幅変調パターンデータを先頭のビットから、前記算出されたシフト量に固定値を加えた分遅らせて前記バッファに書き込むと同時に、先頭のビットから当該パルス幅変調パターンデータを読み出して遅延させることを特徴とする請求項３記載の光走査装置。
【請求項５】
請求項１乃至４の何れか１項に記載の光走査装置を備えることを特徴とする画像形成装置。
【手続補正２】
【補正対象書類名】明細書
【補正対象項目名】００１７
【補正方法】変更
【補正の内容】
【００１７】
上記目的を達成するために、請求項１記載の光走査装置は、画像データに従って生成されるパルス幅変調信号によって点灯制御される光源と、前記光源から射出される複数のレーザビームによって被走査媒体上を走査する走査手段とを備える光走査装置において、第一のクロック信号を出力する第一の信号生成手段と、前記被走査媒体に照射されるレーザビームを検知して検知信号を出力するレーザビーム検知手段と、前記第一のクロック信号と前記検知信号に基づいて、前記第一のクロック信号よりも周波数の低い第二のクロック信号を生成する第二の信号生成手段と、前記第二のクロック信号に従って前記画像データの出力タイミングを遅延する遅延手段と、前記画像データを前記レーザビームの点灯パターンであるパルス幅変調パターンデータに変換するパターン変換手段と、前記パターン変換手段により変換されたパルス幅変調パターンデータを画素毎に一定量遅延させるパターンデータシフト手段と、前記パターンデータシフト手段で処理された前記パルス幅変調パターンデータに基づいて前記パルス幅変調信号を生成するパルス幅変調信号生成手段とを備えることを特徴とする。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
請求項３記載の光走査装置は、画像データに従って生成されるパルス幅変調信号によって点灯制御される光源と、前記光源から射出するレーザビームによって被走査媒体上を走査する走査手段とを備える光走査装置において、第一のクロック信号を出力する第一の信号生成手段と、前記第一のクロック信号を分周した第二のクロック信号を生成する第二の信号生成手段と、前記第二のクロック信号に従って前記画像データの出力タイミングを遅延する遅延手段と、前記画像データを前記レーザビームの点灯パターンであるパルス幅変調パターンデータに変換するパターン変換手段と、前記被走査媒体に照射されるレーザビームを検知して検知信号を出力するレーザビーム検知手段と、前記レーザビーム検知手段から出力された検知信号と前記第二のクロック信号の位相差を検知する位相検知手段と、前記位相検知手段によって得られる位相情報に従ってシフト量を算出し、前記パターン変換手段により変換されたパルス幅変調パターンデータを主走査毎に、前記算出されたシフト量に固定値を加えた分遅延させるパターンデータシフト手段と、前記パターンデータシフト手段で処理された前記パルス幅変調パターンデータに基づいて前記パルス幅変調信号を生成するパルス幅変調信号生成手段とを備えることを特徴とする。
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】変更
【補正の内容】
【００２２】
本発明によれば、簡単な制御回路で、低い周波数の動作クロックによって細かい分解能でレーザビームの走査位置の補正を行うことができる。
【手続補正８】
【補正対象書類名】明細書
【補正対象項目名】００４０
【補正方法】変更
【補正の内容】
【００４０】
メモリ制御部３０４は、Ｈｓｙｎｃ生成部３０３のタイミングに従い、画像が保持してあるメモリ３０５から画像を読み出し、ＰＷＭパターン生成部（パターン変換手段）３０６に画像をＰｃｌｋ同期で転送する。
【手続補正９】
【補正対象書類名】明細書
【補正対象項目名】００４９
【補正方法】変更
【補正の内容】
【００４９】
このＢＤ検知信号を認識して、Ｐｃｌｋ生成部３０２はＰｃｌｋを生成する。また、Ｈｓｙｎｃ生成部３０９はＰｃｌｋの動作と共に、Ｐｃｌｋの立ち上がりエッジをカウントし、所定のＤｅｌａｙ（図４のＤｅｌａｙα）だけ遅らせてメモリ制御部３１０へＨｓｙｎｃを転送する。
【手続補正１０】
【補正対象書類名】明細書
【補正対象項目名】００５３
【補正方法】変更
【補正の内容】
【００５３】
Ｈｓｙｎｃ生成部３０９で生成されるＨｓｙｎｃをメモリ制御部３１０が受け取ると、所定のタイミング（図５のＤｅｌａｙβ）だけＰｃｌｋをカウントした位置に画像の１画素目が出力されるようにメモリ３１１に格納されている画像データを出力する。